(57)【要約】
【課題】  利用者の身体に最適で、保管効率が良く、多種多様な使用目的にも応じることができるリュックサックを提供する。
【解決手段】  物品の収納及び出し入れが自在な収納袋本体と、収納袋本体に着脱自在な背負部材とからなり、収納袋本体は、開閉自在な開口部が設けられ、収納袋本体の側面の一部には連結手段が設けられ、背負部材の利用者の背中と対峙する側には、一対の肩ベルトが設けられ、背負部材のもう一方の側には連結手段が設けられ、収納袋本体の連結手段と背負部材の連結手段は、着脱自在に連結可能であることを特徴とする。また、背負部材には、収納袋本体を保持する保持部材を設けた。
【選択図】  図１
0003101404.tif 000002
【実用新案登録請求の範囲】
【請求項１】
物品の収納及び出し入れが自在な収納袋本体と、該収納袋本体に着脱自在な背負部材とからなるリュックサックであって、前記収納袋本体は、開閉自在な開口部が設けられ、該収納袋本体の側面の一部には連結手段が設けられ、前記背負部材の利用者の背中と対峙する側には、一対の肩ベルトが設けられ、前記背負部材のもう一方の側には連結手段が設けられ、前記収納袋本体の連結手段と背負部材の連結手段は、着脱自在に連結可能であることを特徴とするリュックサック。
【請求項２】
前記収納袋本体の側面の一部には、所定面積を有した連結面が設けられ、該連結面には連結手段が設けられ、前記背負部材には、前記収納袋本体の連結面に適合する形状をした連結面と、利用者の背中と対峙する対峙面とを有し、該対峙面には、一対の肩ベルトと、クッション材が設けられ、該背負部材の該連結面には連結手段が設けられていることを特徴とする請求項１に記載のリュックサック。
【請求項３】
前記背負部材には、前記収納袋本体を支持するための保持部材が設けられ、該保持部材は、該収納袋本体の側面を周回する程度の長さを有し、該収納袋本体の側面の一部又は全部を被覆して保持することを特徴とする請求項１又は２に記載のリュックサック。
【請求項４】
前記保持部材は、前記背負部材の両縁部に設けられた一対の保持本体と、該保持本体に設けられた保持連結部材とからなり、該保持本体は前記収納袋本体の側面を被覆し、該保持連結部材を連結して該収納袋本体を支持することを特徴とする請求項３に記載のリュックサック。
【請求項５】
複数の収納袋本体と、一つ又は複数の背負部材とからなり、該複数の収納袋本体の中の一つと、該背負部材の中の一つを装着してリュックサックとするリュックサックとするリュックサックユニットであって、前記収納袋本体は、物品の収納及び出し入れが自在で、該収納袋本体の一部に開閉自在な開口部が設けられ、該収納袋本体の側面の一部には連結手段が設けられ、前記背負部材は、前記収納袋本体と着脱自在であり、該背負部材の利用者の背中と対峙する側には、一対の肩ベルトが設けられ、前記背負部材のもう一方の側には連結手段が設けられ、前記収納袋本体の連結手段と背負部材の連結手段は、着脱自在に連結可能であり、前記複数の収納袋本体は収納容量及び／又は形状がそれぞれ異なることを特徴とするリュックサックユニット。
【請求項６】
前記収納袋本体の側面の一部には、所定面積を有した連結面が設けられ、該連結面には連結手段が設けられ、前記背負部材は、前記収納袋本体の連結面に適合する形状をした連結面と、利用者の背中と対峙する対峙面とを有し、該対峙面には、一対の肩ベルトと、クッション材が設けられ、該背負部材の該連結面には連結手段が設けられていることを特徴とする請求項５に記載のリュックサックユニット。
【請求項７】
前記背負部材には、前記収納袋本体を支持するための保持部材が設けられ、該保持部材は、該収納袋本体の側面を周回する程度の長さを有し、該収納袋本体の側面の一部又は全部を被覆して保持することを特徴とする請求項５又は６に記載のリュックサックユニット。
【請求項８】
前記保持部材は、前記背負部材の両縁部に設けられた一対の保持本体と、該保持本体に設けられた保持連結部材とからなり、該保持本体は前記収納袋本体の側面を被覆し、該保持連結部材を連結して該収納袋本体を支持することを特徴とする請求項７に記載のリュックサックユニット。
【考案の詳細な説明】
【技術分野】
【０００１】
本考案は、登山やハイキングなどから日常的にも使用されるリュックサック及びリュックサックユニットに関するものであって、使用目的に応じて使い分けが自在なリュックサック及びリュックサックユニットに関する。
【背景技術】
【０００２】
リュックサックは、広く普及しており、その使用目的は、登山やハイキングなどから、通勤・通学、買い物など、広い範囲で使用されている。そこで、近年では、様々なリュックサックが開発されるようになってきた。
【０００３】
ところで、近年、登山やハイキングを楽しむ登山愛好者が増加している。登山とっていも、登山道が整備されていてピクニックやハイキング感覚で楽しめる登山から、山小屋やテントで宿泊をしないと登頂できないような登山まで様々な楽しみ方がある。従って、登山の種類に応じてリュックサックも軽装用のものから重装備のものまで様々なものが開発されるようになった。
【０００４】
以上のように、リュックサックの利用者は、使用目的に応じて様々なリュックサックを選択できる環境ができ、複数のリュックサックを所持するようになってきている。
【考案の開示】
【考案が解決しようとする課題】
【０００５】
しかし、複数のリュックサックを所持すると、保管場所の確保が困難であるという問題が生じていた。また、最近のリュックサックは、利用者の背中と接する部分にクッション材を設けたものや、肩ベルトにクッション材を設けられたものが多く、これらのクッション材によって嵩張りやすいという問題もあった。
【０００６】
また、登山愛好家がリュックサックを購入する場合、実際に背負ってみて、自分の背中との馴染み具合や、肩ベルトの位置・形状、全体のバランスといった様々な要素から自分に最適だと思われるものを選ぶケースが多い。しかし、登山用のリュックサックについても、新しい形状、外観、色彩、機能を有したものが毎年発売されている。そこで、登山愛好者は、新しいリュックサックを購入しようとすると、試着し、利用者の身体に合うものを選択しなければならず、非常に面倒であるという問題が生じていた。
【０００７】
また、軽装用のリュックサックと重装備用のリュックサックでは、リュックサックの大きさ、構造、肩ベルトの設置位置などの条件が全て違ってくる。特に登山のときは、利用者の負担にならない適当なリュックサックを選択する必要があるが、全ての用途に使用できるリュックサックは開発さてはいない。従って、登山愛好者は、様々な使用条件に応じることができるように、身体に最適なリュックサックをいくつも購入しなければならず、コストや保管といった問題を有していた。
【０００８】
また、リュックサックを背負ったときの感触が良くても、リュックサックの形状、色彩などが気に入らない場合や、その逆の場合もあり、利用者が満足するものを入手することが非常に困難であるという問題も生じていた。
【０００９】
以上のことから、保管効率が良く、利便性が非常に良好なリュックサック、リュックサックユニットの開発が望まれていた。
【課題を解決するための手段】
【００１０】
上記課題を解決するために、本考案に係るリュックサックは、物品の収納及び出し入れが自在な収納袋本体と、収納袋本体に着脱自在な背負部材とからなり、収納袋本体は、開閉自在な開口部が設けられ、収納袋本体の側面の一部には連結手段が設けられ、背負部材の利用者の背中と対峙する側には、一対の肩ベルトが設けられ、背負部材のもう一方の側には連結手段が設けられ、収納袋本体の連結手段と背負部材の連結手段は、着脱自在に連結可能であることを特徴とする。
【００１１】
また、収納袋本体の側面の一部には、所定面積を有した連結面が設けられ、連結面には連結手段が設けられ、背負部材には、収納袋本体の連結面に適合する形状をした連結面と、利用者の背中と対峙する対峙面とを有し、対峙面には、一対の肩ベルトと、クッション材が設けられ、背負部材の該連結面には連結手段が設けられていても良い。
【００１２】
また、背負部材には、収納袋本体を支持するための保持部材が設けられ、保持部材は、収納袋本体の側面を周回する程度の長さを有し、収納袋本体の側面の一部又は全部を被覆して保持することを特徴とする。
【００１３】
また、保持部材は、背負部材の両縁部に設けられた一対の保持本体と、保持本体に設けられた保持連結部材とからなり、保持本体は収納袋本体の側面を被覆し、保持連結部材を連結して収納袋本体を支持することを特徴とする。
【００１４】
また、前記課題を解決するために、本考案に係るリュックサックユニットは、複数の収納袋本体と、一つ又は複数の背負部材とからなり、複数の収納袋本体の一つと、背負部材の中の一つを装着してリュックサックとし、収納袋本体は、物品の収納及び出し入れが自在で、収納袋本体の一部に開閉自在な開口部が設けられ、収納袋本体の側面の一部には連結手段が設けられ、背負部材は、収納袋本体と着脱自在であり、背負部材の利用者の背中と対峙する側には、一対の肩ベルトが設けられ、背負部材のもう一方の側には連結手段が設けられ、収納袋本体の連結手段と背負部材の連結手段は、着脱自在に連結可能であり、前記複数の収納袋本体は収納容量及び／又は形状がそれぞれ異なることを特徴とする。
【００１５】
また、収納袋本体の側面の一部に所定面積を有した連結面を設け、連結面に連結手段を設け、背負部材は、収納袋本体の連結面に適合する形状をした連結面と、利用者の背中と対峙する対峙面とを有し、対峙面には、一対の肩ベルトと、クッション材が設けられ、該背負部材の該連結面には連結手段が設けられていても良い。
【００１６】
また、背負部材には、収納袋本体を支持するための保持部材が設けられ、保持部材は、収納袋本体の側面を周回する程度の長さを有し、収納袋本体の側面の一部又は全部を被覆して保持することを特徴とする。
【００１７】
また、保持部材は、背負部材の両縁部に設けられた一対の保持本体と、保持本体に設けられた保持連結部材とからなり、保持本体は収納袋本体の側面を被覆し、保持連結部材を連結して収納袋本体を支持することを特徴とする。
【考案の効果】
【００１８】
本考案に係るリュックサックは、収納袋本体と背負部材とからなり、収納袋本体と背負部材は着脱自在であるため、利用者の身体に最適な背負部材と、利用者の使用目的や好みに応じた形状、色彩の収納袋本体を組み合わせることができ、全ての利用者にとって最適で満足するリュックサックを提供することができる。更に、収納袋本体又は背負部材のどちらかが破損した場合に、破損した部材を取り替えるだけで良く、リュックサックを新調するよりもコストがかからないという利点を有している。
【００１９】
また、背負部材には保持部材が設けられ、保持部材は、背負部材の両縁部に設けられた一対の保持本体と、保持本体に設けられた保持連結部材とからなり、保持本体は収納袋本体の側面を被覆し、保持連結部材を連結して収納袋本体を支持するため、収納袋本体と背負部材を強固に連結すると共に、収納袋本体の横揺れを抑止することができ、利用者がリュックサックを背負った時に安定し、利用者の負担が軽減される。
【００２０】
また、本考案に係るリュックサックユニットは、収納容量及び／又は形状が異なる複数の収納袋本体と、一つ又は複数の背負部材とからなり、複数の収納袋本体の中の一つと一つ又は複数の背負部材の中の一つを装着してリュックサックとするため、使用目的に応じて最適なリュックサックを手軽に選択することができる。
【考案を実施するための最良の形態】
【００２１】
本考案に係るリュックサック２について、図を参照にしながら説明する。図１は、本考案に係るリュックサック２を示した説明図で、図２はリュックサック２を分解した説明図である。なお、これらの図は本考案を説明するためのものであって、本考案を何ら限定するものではない。
【００２２】
本考案に係るリュックサック２は、収納袋本体４と、収納袋本体４と着脱自在な背負部材１２とからなる。
【００２３】
図３〜図５は、本考案に係る収納袋本体４の一実施の形態を示した説明図である。収納袋本体４は、物品を収納することができ、収納した物品の出し入れが自在な袋状の部材のことを指す。また、収納袋本体４には、開閉自在な開口部６が設けられている。この開口部６は、収納袋本体４の頂部近傍に設けられているのが良いが、側面に設けられていても良く、適宜設定すれば良い。開口部６はファスナーを設けて開閉自在にするのが好ましいが、紐部材を設けて収納袋本体４を巾着状にしても良く、収納袋本体４の開閉構造は適宜設定すれば良い。また、開口部６を被覆するような蓋部材を設けても良い。
【００２４】
また、収納袋本体４の側面の一部には、連結手段８が設けられている。この連結手段８は、後述する背負部材１２の連結手段１６と着脱自在に連結し、収納袋本体４と背負部材１２を一体にする。連結手段８としては、ファスナーを用いるのが好ましいが、バックル、マジックテープ（登録商標）などを使用しても良いし、複数種の連結手段８を組み合わせて使用しても良い。これら以外の連結手段８を使用しても良く、収納袋本体４と背負部材１２を着脱自在に連結でき、連結が容易に外れなければ、どのような手段・方法であっても良い。また、収納袋本体４と背負部材１２が容易に連結でき、連結が外れにくい構造で有れば、更に良い。
【００２５】
また、収納袋本体４の側部に、所定面積を有した連結面１０を設け、この連結面１０に連結手段８を設けても良い。この連結面１０の大きさは特に限定せず適宜設定すれば良い。また、この連結面１０は、必ずしも平面である必要はない。例えば、緩やかな曲面であっても良いし、隆起を有していても良い。また、収納袋本体４の連結面１０と、背負部材１２の連結面１８は、密接するような形状、構造であることが好ましい。
【００２６】
この連結手段８は、収納袋本体４と背負部材１２を連結したときに、リュックサック２が安定するように、連結手段８の設置位置、設置数などを調節し、設定されるのが好ましい。連結手段８にファスナーを使用した時は、連結面１０の縁部に沿ってファスナーを設けても良い。
【００２７】
本考案に係る収納袋本体４の材料としては、一般に市販されているリュックサック２の材料と同様のものが使用することができ、適宜設定すれば良い。また、形状や構造、収納容量、装飾、色彩などの種々の条件も特に限定せず、適宜設定すれぼ良い。
【００２８】
次に、図６及び図７は本考案に係る背負部材１２の一実施の形態を示した説明図である。本考案に係る背負部材１２は、収納袋本体４と着脱自在に連結でき、利用者の背中と対峙する側には一対の肩ベルト１４が設けられ、もう一方の側には連結手段１６が設けられていることを特徴とする。
【００２９】
図中では背負部材１２を略板状に形成しているが必ずしも略板状である必要はなく、枠体であっても良い。また、その他の形状であっても良く、本考案に係る背負部材１２は、収納袋本体４に一対の肩ベルト１４を装着してリュックサック２とすることができれば、背負部材１２の形状、構造などは特に限定しない。
【００３０】
本考案に係る肩ベルト１４は、一般的なリュックサック２で使用されているものを使用することができる。肩ベルト１４の設置位置、長さ調節の機能、食い込み防止のクッション材、素材等の条件は、適宜設定すれば良い。また、利用者の背中と接する場所に設けるクッション材２８についても、一般的なリュックサック２で使用されているものを使用することができる。このクッション材２８の設置位置などの条件についても適宜設定すれば良い。
【００３１】
また、図示されているように背負部材１２に対峙面２０と連結面１８を設けても良い。対峙面２０は、利用者の背中と対峙する面で、連結面１８は収納袋本体４の連結面８と接する面とする。
【００３２】
対峙面２０は、平面であっても良いし、湾曲していても良い。また、利用者の背中に密接するように複雑な隆起を形成しても良く、適宜設定すれば良い。また、背負部材１２の連結面１８も、収納袋本体４の連結面８と同様に、必ずしも平面である必要はないが、収納袋本体４と背負部材１２を連結したときに、両者が密接するような形状であるのが好ましい。
【００３３】
背負部材１２の材料としては特に限定せず、一般的なリュックサック２に使用されている材料を使用することができる。背負部材１２が枠体の場合は、軽量で強度を有するアルミやステンレスなどの金属でフレームを形成して背負部材１２としても良い。
【００３４】
また、背負部材１２には、収納袋本体４を支持するための保持部材２２を設けても良い。この保持部材２２は、収納袋本体４の側面を周回する程度の長さを有し、収納袋本体４の側面の一部又は全部を被覆して保持する。この保持部材２２は、背負部材１２の両縁部に設けられた一対の保持本体２４と、保持本体２４に設けられた保持連結部材２６とからなり、保持本体２４は収納袋本体４の側面を被覆し、保持連結部材２６を連結して収納袋本体４を支持する。
【００３５】
この保持部材２２を設けることにより、収納袋本体４と背負部材１２を強固に連結することができると共に、リュックサック２全体を安定させることができる。収納袋本体４と背負部材１２を連結手段のみで連結した時、連結した近辺は安定するが、連結箇所から遠い部分は安定しにくく、収納袋本体４が左右に横揺れしやすい。そこで、保持部材２２によって収納袋本体４の側面を支持することにより、収納袋本体４の横揺れを無くし、リュックサック２を安定して一体化しようとするものである。
【００３６】
保持本体２４の大きさは、収納袋本体４の大きさなどを考慮して、適宜設定すれば良い。また、背負部材１２と保持本体２４が着脱自在であっても良い。背負部材１２と保持本体２４の着脱構造は特に限定しないが、背負部材１２と保持本体２４の連結部分にファスナーなどを設けるなどすれば良い。
【００３７】
保持連結部材２６は、バックル、テープなどを使用することができるが、種々の条件を考慮して適宜設定すれば良い。また、保持連結部材２６の長さを自在に調節できる構造になっているのが好ましい。
【００３８】
次に、本考案に係るリュックサックユニット３０について説明する。図８は、本考案に係るリュックサックユニット３０を使用例を示した説明図である。本考案に係るリュックサックユニット３０は、複数の収納袋本体４と、一つ又は複数の背負部材１２とからなり、複数の収納袋本体４の中の一つと、一つ又は複数の背負部材１２の中の一つを連結してリュックサック２とすることを特徴とする。
【００３９】
このリュックサックユニット３０において、複数の収納袋本体４は、収納容量及び／又は形状がそれぞれ異なることを特徴とする。収納袋本体４の形状・収納容量が異なることにより、利用者は用途に応じて収納袋本体４を選択することができる。
【００４０】
登山愛好者などがこのリュックサックユニット３０を使用する場合、自分の身体に一番適合する背負部材１２を選択し、適当な大きさの収納袋本体４を選択すれば、利用者に最適のリュックサック２とすることが出来る。つまり、宿泊する様な重装備時に使用する容量の大きな収納袋本体４や、日帰りなどの軽装で使用する容量の小さな収納袋本体４であっても、背負部材１２が変わらないため、いつでも利用者の身体に最適なリュックサック２を使用することができる。
【００４１】
この収納袋本体４に設けられた連結手段８は、前述した収納袋本体４の連結手段８と同じで良い。また、連結手段８の設置位置、設置数などの条件も、全ての収納袋本体４が同じように設定されるのが好ましい。その他の収納袋本体４に関する詳細な条件などは、前述したリュックサック２の収納袋本体４と同一であるため省略する。
【００４２】
また、リュックサックユニット３０の背負部材１２は、一つだけでも良いし、複数でも良い。リュックサックユニット３０が複数の収納袋本体４と複数の背負部材１２を有することにより、様々なリュックサック２の組み合わせが可能となり、多種多様な使用目的にも応じることができる。背負部材１２が複数の場合は、それぞれの大きさ、肩ベルト１４の設置位置などの条件がそれぞれ異なっているのが良い。背負部材１２に関する詳細な条件などは、前述したリュックサック２の背負部材１２と同一であるため省略する。
【００４３】
以上が本考案に係るリュックサック２及びリュックサックユニット３０に関する説明であるが、本考案の目的を逸脱しない限り種々の条件、設定は変更が可能である。
【００４４】
次に、本考案に係るリュックサック２及びリュックサックユニット３０の使用方法について説明する。
【００４５】
まず、使用する目的に最適であると思われる大きさの収納袋本体４を選択する。次に、背負部材１２を用意する。背負部材１２が複数の時は、種々の条件から一つを選択する。そして、収納袋本体４と背負部材１２の連結手段を連結する。このとき、収納袋本体４に物品を収納してから収納袋本体４と背負部材１２を連結しても良いし、収納袋本体４と背負部材１２を連結してから物品を収納しても良い。全ての連結手段を連結し、物品を収納した後、背負部材１２の保持本体２４を連結し、背負部材１２と収納袋本体４を一体化する。
【図面の簡単な説明】
【００４６】
【図１】本考案に係るリュックサックの一実施の形態を示した説明図である。
【図２】本考案に係るリュックサックを分解した状態を示した説明図ある。
【図３】本考案に係る収納袋本体を示した説明図である。
【図４】本考案に係る収納袋本体を示した説明図である。
【図５】本考案に係る収納袋本体の一実施の形態を示した説明図である。
【図６】本考案に係る背負部材の一実施の形態を示した説明図である。
【図７】本考案に係る背負部材の一実施の形態を示した説明図である。
【図８】本考案に係るリュックサックユニットの使用例を示した説明図である。
【符号の説明】
【００４７】
２    リュックサック
４    収納袋本体
６    開口部
８    連結手段
１０  連結面
１２  背負部材
１４  肩ベルト
１６  連結手段
１８  連結面
２０  対峙面
２２  保持部材
２４  保持本体
２６  保持連結手段
２８  クッション材
３０  リュックサックユニット
【図１】
0003101404.tif 000003
【図２】
0003101404.tif 000004
【図３】
0003101404.tif 000005
【図４】
0003101404.tif 000006
【図５】
0003101404.tif 000007
【図６】
0003101404.tif 000008
【図７】
0003101404.tif 000009
【図８】
0003101404.tif 000010